(57)【要約】【課題】台所のシンクの排水口に取り付ける水切りゴミ袋の保持具の提供。【解決手段】環状平板部10と内側環状壁部20を有し、内側環状壁部20から環状平板部10に沿う方向に突き出され、周方向に間隔をおいた複数の円弧状突起部23を有しており、円弧状突起部23の幅（w2）と環状平板部10の幅（w1）がw2／w1＝0.05〜0.20であり、複数の円弧状突起部23と高さ方向に対向する位置の環状平板部10に同数の貫通孔（円弧状スリット）13が形成されている水切りゴミ袋の保持具。【選択図】図４
2020193054.tif 000002
【特許請求の範囲】
【請求項１】
排水口に取り付ける水切りゴミ袋の保持具であって、
環状平板部と、前記環状平板部の内周縁部から一方向に垂設された内側環状壁部を有しており、
前記内側環状壁部が、前記環状平板部の内周縁部とは高さ方向反対側の端部外周面から前記環状平板部に沿う方向に突き出され、周方向に間隔をおいて２〜６個が形成された複数の円弧状突起部を有しており、
前記円弧状突起部の突き出し幅（ｗ２）と前記環状平板部の内周縁部から外周縁部までの幅（ｗ１）の比が、ｗ２／ｗ１＝０．０５〜０．２０の範囲であり、
さらに前記複数の円弧状突起部と高さ方向に対向する位置の前記環状平板部において、前記複数の円弧状突起部と同数の貫通孔が形成されているものである、水切りゴミ袋の保持具。
【請求項２】
前記貫通孔が、水が通過可能な幅を有する円弧状スリットである、請求項１記載の水切りゴミ袋の保持具。
【請求項３】
前記環状平板部の表面と裏面の少なくとも一面において、前記環状平板部の外周縁部側から内周縁部に向かって直径の異なる同心円を示す複数の環状溝が形成されており、
前記環状溝に沿って切断されることで前記環状平板部の外径が調整されるようになっているものである、請求項１または２記載の水切りゴミ袋の保持具。
【請求項４】
前記内側環状壁部が、前記環状平板部と接している部分と反対側の環状端面側であり、前記円弧状突起部がない部分の一部に切り欠き部を有している、請求項１〜３のいずれか１項記載に記載の水切りゴミ袋の保持具。
【請求項５】
前記環状平板部と前記内側環状壁部が、抗菌剤、光触媒、撥水剤から選ばれるものを含有する合成樹脂からなるものである、請求項１〜４のいずれか１項記載の水切りゴミ袋の保持具。
【請求項６】
請求項１〜５のいずれか１項記載の水切りゴミ袋の保持具と、水切りゴミ袋が組み合わされたものである、ゴミ捕集具。
【請求項７】
前記水切りゴミ袋が、
開口部両端の対向する面同士が固着一体化された２箇所のストッパ部を有しており、前記２箇所のストッパ部が、袋の開口部方向に面した部分が曲線または直線と曲線の組み合わせとなっているものであり、
前記ストッパ部の内側における開口部の内周長さ（Ｌ11）が、前記内側環状壁部の外周長さ（Ｌ12）と前記環状平板部の外周長さ（Ｌ13）と、次式（１）：Ｌ12＜Ｌ11＜Ｌ13    （１）で示される関係を満たすように設定されているものである、ゴミ容器である、請求項６記載のゴミ捕集具。
【請求項８】
請求項１〜５のいずれか１項記載の水切りゴミ袋の保持具と、水切りゴミ袋が組み合わされたゴミ捕集具であり、
前記水切りゴミ袋が、開口部を有するネット袋からなるものであり、
前記ネット袋が合成樹脂製のネットからなり、前記開口部には複数本の伸縮性のある繊維が環状に配置されているものである、ゴミ捕集具。
【請求項９】
前記水切りゴミ袋が、水切りゴミ袋の開口部の最大内周長さ（Ｌ21）が、水切りゴミ袋の保持具の内側環状壁部の外周長さ（Ｌ22）および環状平板部の外周長さ（Ｌ23）と、次式（２）：Ｌ22＜Ｌ21＜Ｌ23    （２）で示される関係を満たすように設定されているものである、請求項８記載のゴミ捕集具。
（式（２）中、開口部の最大内周長さ（Ｌ21）は、水切りゴミ袋の複数本の伸縮性のある繊維を弾性限界の範囲内で最大限伸長させたときの開口部の内周長さを示す。）
【発明の詳細な説明】
【技術分野】
【０００１】
本発明は、台所のシンクの排水口に取り付けて使用するために適している水切りゴミ袋の保持具と、それを使用したゴミ捕集具に関する。
【背景技術】
【０００２】
台所のシンクの排水口には、排水パイプに流れ込む生ゴミなどを捕集するため、ストレーナ、ストレーナに取り付けた水切りかご、水切りかごの開口部を覆うための菊割り蓋などが使用されている。
また、生ゴミの捕集および回収を容易にするため、保持枠で保持された水切りゴミ袋を水切りかご内部に置いて、溜まった生ゴミを水切り袋ごと捨てることができるような保持枠と水切りゴミ袋の組み合わせも市販されている。
【０００３】
特許文献１には、外周に水切りゴミ袋の開口部に設けられた弾性糸が係止される引っ掛け部が形成され、弾性糸が弾性変形することによって開口部が引っ掛け部から離脱可能に構成された袋保持枠と、それを使用した水切りゴミ袋取り付け構造の発明が記載されている（特許請求の範囲）。
特許文献２には、下端部側が朝顔状に外側に拡がった口ゴム固定部を有する袋保持枠であり、前記口ゴム固定部に市販の口ゴム付き水切りネットの口ゴム部分が固定されるようにされたキッチン排水口のゴミ受け用水切りネット固定器具の考案が記載されている。
【先行技術文献】
【特許文献】
【０００４】
【特許文献１】特開２０１３−１５６２号公報
【特許文献２】実用新案登録第３１７７３５８号公報
【発明の概要】
【発明が解決しようとする課題】
【０００５】
本発明は、キッチンの排水口において使用する水切りゴミ袋を保持するための水切りゴミ袋の保持具と、前記保持具と水切りゴミ袋を組み合わせたゴミ捕集具を提供することを課題とする。
【課題を解決するための手段】
【０００６】
本発明は、排水口に取り付ける水切りゴミ袋の保持具であって、
環状平板部と、前記環状平板部の内周縁部から一方向に垂設された内側環状壁部を有しており、
前記内側環状壁部が、前記環状平板部の内周縁部とは高さ方向反対側の端部外周面から前記環状平板部に沿う方向に突き出され、周方向に間隔をおいて２〜６個が形成された複数の円弧状突起部を有しており、
前記円弧状突起部の突き出し幅（ｗ２）と前記環状平板部の内周縁部から外周縁部までの幅（ｗ１）の比が、ｗ２／ｗ１＝０．０５〜０．２０の範囲であり、
さらに前記複数の円弧状突起部と高さ方向に対向する位置の前記環状平板部において、前記複数の円弧状突起部と同数の貫通孔が形成されているものである、水切りゴミ袋の保持具と、それを使用したゴミ捕集具を提供する。
【発明の効果】
【０００７】
本発明の水切りゴミ袋の保持具とそれを使用するゴミ捕集具は、台所のシンクの排水口に取り付けて使用することで生ゴミを捕集し、容易に廃棄することができる。
【図面の簡単な説明】
【０００８】
【図１】本発明の保持具の表面側からの平面図。
【図２】図１に示す保持具の裏面側からの平面図。
【図３】図１に示す保持具の正面図。
【図４】図１のIV−IV線間の矢視断面図。
【図５】本発明の保持具の別実施形態の正面図。
【図６】図５に示す保持具の裏面側からの平面図。
【図７】図１に示す保持具に水切りゴミ袋の取り付け方法を説明するための正面図。
【図８】図１に示す保持具に水切りゴミ袋を取り付けた状態のゴミ捕集具。
【図９】切り欠きのある取り付け方法
【図１０】図８に対応する比較用のゴミ捕集具。
【発明を実施するための形態】
【０００９】
＜水切りゴミ袋の保持具＞
図１〜図４により本発明の水切りゴミ袋の保持具を説明する。
水切りゴミ袋の保持具１（以下「保持具１」と略す）は、環状平板部１０と内側環状壁部２０を有しており、合成樹脂、ゴムなどからなるものである。
【００１０】
環状平板部１０は、台所のシンクの排水口に取り付けることができる程度の外径を有しているものであり、前記排水口の大きさに応じて調整することができる。
環状平板部１０の内周縁部１１から外周縁部１２までの幅（ｗ１）は、シンクの排水口の寸法に応じて調整されるものであり、例えば菊割り蓋（特許文献１の図１など参照）を嵌め込むタイプの排水口では、菊割り蓋を嵌め込むことができるように調整される。
環状平板部１０の厚さは、１〜３ｍｍの範囲にすることができるが、前記範囲に限定されるものではない。
【００１１】
環状平板部１０の第１面（排水口に取り付けたときの上面）１０ａには、外周縁部側１２から内周縁部１１に向かって直径の異なる同心円を示す複数の環状溝１４ａ、１４ｂが形成されている。図１では、２本の環状溝１４ａ、１４ｂが示されているが、環状溝は３本以上であってもよい。
環状溝１４ａ、１４ｂは、排水口の大きさに応じて、環状溝１４ａまたは環状溝１４ｂに沿って切断し、環状平板部１０の外径を調整するためのものである。
環状溝１４ａ、１４ｂは、図１では、第１面１０ａに形成されているが、環状平板部１０の第１面１０ａとは厚さ方向反対側の第２面（排水口に取り付けたときの下面）１０ｂに形成されていてもよいし、第１面１０ａと第２面１０ｂの両方に形成されていてもよい。
【００１２】
内側環状壁部２０は、環状平板部１０の内周縁部１１を上端部として一方向に垂設されたものであり、内周面２０ａと外周面２０ｂを有し、下端部側は環状端面２１を有している。
内側環状壁部２０は、内側環状壁部２０の環状端面２１に接する外周面２０ｂから環状平板部１０に沿う方向に突き出された複数の円弧状突起部２３〜２５を有している。
図２では円弧状突起部２３〜２５は３個示されているが、周方向に間隔をおいて２〜６個が形成されていることが好ましく、３個または４個がより好ましい。
複数の円弧状突起部２３〜２５は、それぞれが同形状で同寸法であることが好ましいが、それぞれが異なる形状で異なる大きさであってもよい。
複数の円弧状突起部２３〜２５は、それぞれが等間隔で形成されていることが好ましい。
円弧状突起部２３〜２５の外周面２０ｂからの突き出し幅（ｗ２）は、１〜４ｍｍが好ましく、１〜２ｍｍがより好ましい。
円弧状突起部２３〜２５は、水切りゴミ袋を取り付けるときに引っ掛かって破れ難くするため、角が丸められたものでもよい。
【００１３】
円弧状突起部２３〜２５の突き出し幅（ｗ２）と環状平板部１０の内周縁部１１から外周縁部１２までの幅（ｗ１）は、ｗ２／ｗ１＝０．０５〜０．２０の範囲が好ましく、０．０６〜０．１６の範囲がより好ましい。
【００１４】
環状平板部１０は、図１、図２、図４に示すとおり、円弧状突起部２３〜２５と高さ方向（または厚さ方向）に対向する位置において、円弧状突起部２３〜２５と同数の貫通孔（円弧状スリット）１３〜１５が形成されている。
図１、図２では、貫通孔は円弧状スリット１３〜１５であるが形状は限定されず、円形、断円形、多角形、不定形などの貫通孔にすることができる。
貫通孔が円弧状スリット１３〜１５であるときは、水が通過可能な幅を有しているものが好ましく、例えば１〜６ｍｍ、好ましくは３〜６ｍｍの幅にすることができる。
【００１５】
保持具１は、図５（ａ）〜（ｃ）、図６に示すように、内側環状壁部２０が、環状平板部１０と接している部分と反対側の環状端面２１側であり、円弧状突起部２３〜２５がない部分の一部に切り欠き部２６〜２８有している実施形態にすることができる。
切り欠き部２６〜２８は、内側環状壁部２０の一部領域が厚さ方向に切断・除去されたものであり、保持具１に水切りゴミ袋３０（図７〜図９参照）を取り付けたり、取り外したりするときに人の指先で水切りゴミ袋３０を摘まみ易くするためのものである。
このため、切り欠き部２６〜２８の大きさや形状は特に制限されるものではなく、人が作業し易い大きさおよび形状にすることができるが、水切りゴミ袋を取り付けたり、取り外したりするときに引っ掛かって破れ難くするため、切り欠き部２６〜２８の角が丸められたものでもよい。
図５（ａ）〜（ｃ）は、異なる大きさの切り欠き部２６が形成されていることを示しており、図５（ｂ）、（ｃ）に示すとおり、切り欠き部２６は環状平板部１０と接する位置まで形成されていてもよい。
切り欠き部は、円弧状突起２３〜２５がない位置に形成されており、その数は制限されるものではなく、１または複数を形成するこができる。
図６では、円弧状突起２３〜２５の間に合計で３箇所の切り欠き部２６〜２８が形成されている。
【００１６】
保持具１の環状平板部１０と内側環状壁部２０は、ポリエチレン（ＰＥ）、ポリプロピレン（ＰＰ）、ポリ塩化ビニル（ＰＶＣ）、ポリスチレン（ＰＳ）、ＡＢＳ樹脂、ＡＳ樹脂、アクリル樹脂（ＰＭＭＡ）、ポリアミド（ＰＡ）、ポリアセタール（ＰＯＭ）、ポリカーボネート（ＰＣ）、変性ポリフェニレンエーテル（ｍ−ＰＰＥ、変性ＰＰＥ、ＰＰＯ）、ポリエチレンテレフタレート（ＰＥＴ）、ポリブチレンテレフタレート（ＰＢＴ）などの熱可塑性樹脂からなるものが好ましい。
熱可塑性樹脂を使用するときは、必要に応じて公知の樹脂添加剤を含有することができ、特に抗菌剤、光触媒、撥水剤から選ばれるものを含有することが好ましい。
水切りゴミ袋の保持具１は、公知の金型を使用した射出成形法（スライド成形法も含む）を適用して製造することができる。
射出成形により貫通孔（円弧状スリット）１３〜１５を形成したときはそのままでよく、射出成形（例えば、スライド成形）により貫通孔を形成しなかったときは、別途穿孔して形成することができる。
【００１７】
＜ゴミ捕集具＞
本発明のゴミ捕集具は、保持具１と水切りゴミ袋が組み合わされたものである。
水切りゴミ袋は、保持具１に取り付けることができる袋状のものであれば特に制限されるものではないが、本発明では、第１の水切りゴミ袋と第２の水切りゴミ袋のいずれかを使用することが好ましい。
【００１８】
第１の水切りゴミ袋は、開口部両端の対向する面同士が固着一体化された２箇所のストッパ部を有しており、前記２箇所のストッパ部が、袋の開口部方向に面した部分が曲線（または直線と曲線の組み合わせ）となっているものであり、特許第４８４２１０１号公報に記載のゴミ容器を使用することができる。
さらに第１の水切りゴミ袋は、本発明の水切りゴミ袋の保持具との関係を考慮すると、開口部両端の対向する面同士が固着一体化された２箇所のストッパ部を有しており、前記２箇所のストッパ部が、袋の開口部方向に面した部分が曲線（または直線と曲線の組み合わせ）となっているものであり、前記ストッパ部の内側における開口部の内周長さ（Ｌ11）が、前記内側環状壁部の外周長さ（Ｌ12）と前記環状平板部の外周長さ（Ｌ13）と、次式（１）：Ｌ12＜Ｌ11＜Ｌ13    （１）で示される関係を満たすように設定されているものを使用することもできる。
そのほか、ダイセルファインケム（株）から販売されている「排水口生ゴミ水切り用  バスケットいらず（「いらず」は登録商標）」に含まれている水切りゴミ袋、「排水口生ゴミ水切り用  バスケットいらず（「いらず」は登録商標）の専用袋」を使用することもできる。
【００１９】
第２の水切りゴミ袋は、図７〜図９に示す水切りゴミ袋３０を使用することができる。
水切りゴミ袋３０は、開口部３２を有するネット袋３１からなるものであり、開口部３２には、複数本の伸縮性のある繊維（弾性糸）３３が環状に配置されている。
複数本の伸縮性のある繊維（弾性糸）３３に代えて、輪ゴムや環状ゴム紐などを使用することもできる。
水切りゴミ袋３０は、特許文献１の段落番号００１６に記載され、図５に示されているものも使用することができる。
第２の水切りゴミ袋３０のネット袋３１は、合成樹脂からなるものであり、好ましくはポリエステルからなるものである。
第２の水切りゴミ袋３０の複数本の伸縮性のある繊維（弾性糸）３３は、ポリウレタン繊維を使用することができる。
第２の水切りゴミ袋としては、その他にも、特開２０１８−４３８５７号公報に記載の水切りゴミ袋、特開２００２−３３８００４号公報に記載の台所用水切り袋、特開２００２−２１１７０３号公報に記載のゴミ回収用ネット、意匠抄録（登録意匠番号１２１２８６５）に記載の流し台ゴミの水切り用網袋なども使用することができる。
また、図７〜図９に示す水切りゴミ袋３０は、水切りゴミ袋３０の開口部の最大内周長さ（Ｌ21）が、水切りゴミ袋の保持具の内側環状壁部の外周長さ（Ｌ22）および環状平板部の外周長さ（Ｌ23）と、次式（２）：Ｌ22＜Ｌ21＜Ｌ23    （２）で示される関係を満たすように設定されているものが好ましい。
ここで、開口部の最大内周長さ（Ｌ21）とは、水切りゴミ袋３０の複数本の伸縮性のある繊維（弾性糸）３３を弾性限界の範囲内で最大限伸長させたときの開口部の内周長さを示す。
【００２０】
次に保持具１に対して、水切りゴミ袋３０を着脱自在に取り付けおよび取り外し方法を説明する。
図７は、保持具１に対して水切りゴミ袋３０を取り付ける前の状態を示している。
図７に示す状態から、水切りゴミ袋の保持具１の環状平板部１０の穴内部（内周縁部１１の内側の穴）に水切りゴミ袋３０のネット袋３１を通した後、水切りネット袋３０の開口部３２側を外側に拡張させながら環状平板部１０の第２面１０ｂ側に折り返して被せて、図８に示す状態にする。
このとき、水切りゴミ袋３０の複数本の伸縮性のある繊維（弾性糸）３３を内側環状壁部２０の外周面２０ｂに当接させ、かつ円弧状突起部２３〜２５と環状平板部２０の第２面１０ｂの間に位置させることで、複数本の伸縮性のある繊維（弾性糸）３３の締め付け作用によって、水切りゴミ袋３０がずれたり、脱落したりすることが防止できる。
さらに円弧状突起２３〜２５があることで、複数本の伸縮性のある繊維（弾性糸）３３が円弧状突起２３〜２５を超えて下方のネット袋３１側に移動することも防止されている。
保持具１から水切りゴミ袋３０を取り外すときは、複数本の伸縮性のある繊維（弾性糸）３３を指先で摘まみ、取り付け方法と逆の手順で容易に取り外すことができる。
なお、保持具１に水切りゴミ袋３０のネット袋３１を取り付けるときまたは取り外すとき、環状平板部１０の第１面１０ａの円弧状スリット１３〜１５の位置と円弧状突起部２３〜２５の位置が高さ方向（厚さ方向）に対応しているため、保持具１を裏返して円弧状突起部２３〜２５の位置を確認する必要がなく、取り付けまたは取り外す作業が容易になる。
【００２１】
保持具１として、図１〜図４に示すものに代えて図５、図６に示す切り欠き部２６〜２８を有しているものを使用すると、取り付けおよび取り外しがさらに容易になる。
上記した手順で保持具１に水切りゴミ袋３０のネット袋３１を取り付けたとき、図９に示すとおり、ネット袋３１の複数本の伸縮性のある繊維（弾性糸）３３を含む部分が切り欠き部２６と厚さ方向に重なるように位置する。
図示していないが切り欠き部２７、２８も同様にしてネット袋３１の複数本の伸縮性のある繊維（弾性糸）３３を含む部分と厚さ方向に重なるように位置するため、切り欠き部２６〜２８に位置するネット袋３１（繊維３３）を指先で摘まんで引っ張ることで、取り付けがより容易にできるようになるので好ましい。
さらに保持具１からネット袋３１を取り外すときも、切り欠き部２６〜２８の部分に位置するネット袋３１（繊維３３）を指先で摘まんでめくることで容易に取り外すことができるようになるので好ましい。
【００２２】
図１０に示す水切りゴミ袋の保持具１Ａ（以下「保持具１Ａ」と略す）は、円弧状突起部２３〜２５がないほかは、保持具１と同じものである。
図１０に示す保持具１Ａに対して、図８に示す保持具１と同様にして水切りゴミ袋３０を取り付けたとき、保持具１Ａが円弧状突起部を有していないため、水切りゴミ袋３０の開口部３２を折り返すと、複数本の伸縮性のある繊維（弾性糸）３３が内側環状壁部２０を超えて下方のネット袋３１側に移動する場合がある（図１０に示すような状態）。
図１０に示す状態になったとき、複数本の伸縮性のある繊維（弾性糸）３３が保持具１Ａに近い位置のネット袋３１をすぼませるように作用する結果、ネット袋３１の内容量が減少され、保持できるゴミ量も減少されてしまうほか、生ゴミを捨てようとするときには、保持具１Ａから水切りゴミ袋３０を外し難くなる。
【産業上の利用可能性】
【００２３】
本発明の水切りゴミ袋の保持具とゴミ捕集具は、家庭の台所、各種規模の食堂などのシンクの排水口に取り付けて生ゴミを捕集して回収・廃棄するためのものとして利用することができる。
【符号の説明】
【００２４】
１  水切りゴミ袋の保持具
１０  環状平面部
１３〜１５  貫通孔（円弧状スリット）
２０  内側環状壁部
２３〜２５  円弧状突起部
２６〜２８  切り欠き部
３０  水切りゴミ袋
３１  ネット袋
３２  開口部
３３  伸縮性のある繊維
【図１】
2020193054.tif 000003
【図２】
2020193054.tif 000004
【図３】
2020193054.tif 000005
【図４】
2020193054.tif 000006
【図５】
2020193054.tif 000007
【図６】
2020193054.tif 000008
【図７】
2020193054.tif 000009
【図８】
2020193054.tif 000010
【図９】
2020193054.tif 000011
【図１０】
2020193054.tif 000012